(57)【要約】  実施形態において、光調節可能レンズ照射システムは、ＵＶ光ビームを発生するための照射光源と、ＵＶ光ビームを患者の眼球の中に移植された光調節可能眼内レンズに向けるための光学システムと、光学システムに結合され、光学システムに対して眼球を安定化させて光調節可能眼内レンズ及びＵＶ光ビームの位置調整を実現するための患者インタフェースと、を備える。【選択図】図２Ｂ
2021504008.tif 000002
【特許請求の範囲】
【請求項１】
紫外線（ＵＶ）光ビームを発生するための照射光源と、
前記ＵＶ光ビームを患者の眼球の中に移植された光調節可能眼内レンズに向けるための光学システムと、
前記光学システムに結合され、前記光学システムに対して前記眼球を安定化させて前記光調節可能眼内レンズ及び前記ＵＶ光ビームの位置調整を実現するための患者インタフェースと、
を備える、光調節可能レンズ照射システム。
【請求項２】
前記光学システムは、対物レンズを含み、前記患者インタフェースは、前記光学システムの前記対物レンズに結合される、請求項１に記載の光調節可能レンズ照射システム。
【請求項３】
前記患者の頭部に係合するための患者係合フレームを備え、前記患者インタフェースは、前記患者係合フレームに結合される、請求項１に記載の光調節可能レンズ照射システム。
【請求項４】
真空吸引力を生成するための真空ポンプと、
前記真空ポンプを前記患者インタフェースに接続して流体接続によって真空吸引力を伝達するための吸引ホースと、
を備え、
前記患者インタフェースは、前記患者インタフェースの外周上に環状に配置され、前記真空吸引力を前記眼球に加えて前記眼球を安定化させるための弾性スカートを含む、請求項１に記載の光調節可能レンズ照射システム。
【請求項５】
前記患者インタフェースは、突出部、先鋭端部、締結部材、及び強化摩擦部材のうちの少なくとも１つを含むことで、前記眼球の上への機械的係合力を強化するための機械的係合部を備える、請求項１に記載の光調節可能レンズ照射システム。
【請求項６】
前記患者インタフェースは、前記光学システム及び前記患者の前記眼球の両方に結合するための、１部品患者インタフェースである、請求項１に記載の光調節可能レンズ照射システム。
【請求項７】
前記患者インタフェースは２部品患者インタフェースであり、
前記光学システムに結合するように構成された装置ドッキング部と
前記患者の前記眼球に結合するように構成された眼球制御部と、
を含み、
前記装置ドッキング部及び前記眼球制御部は、連結するように構成される、請求項１に記載の光調節可能レンズ照射システム。
【請求項８】
前記眼球制御部は、前記患者インタフェースの前記眼球制御部と前記眼球との間の初期接触が得られた後でオペレータが前記眼球との機械的カップリングを締結するための締結機構を備える、請求項７に記載の光調節可能レンズ照射システム。
【請求項９】
前記照射光源、前記光学システム、及び前記患者インタフェースは、装着型光調節可能レンズ照射システムに組み合わされる、請求項１に記載の光調節可能レンズ照射システム。
【請求項１０】
前記装着型光調節可能レンズ照射システムを前記患者の頭部に対して安定させるためのヘッドバンドを備える、請求項９に記載の光調節可能レンズ照射システム。
【請求項１１】
前記光学システムは、
前記ＵＶ光ビームを前記眼球に向けるための、及び
前記ＵＶ光ビームを変調して半径方向強度プロフィールを得るための、
デジタルミラーデバイスを備える、請求項１に記載の光調節可能レンズ照射システム。
【発明の詳細な説明】
【技術分野】
【０００１】
本特許明細書は、光調節可能レンズのための照射システムに関する。より詳細には、光調節可能眼内照射システムのための患者インタフェースに関する。
【背景技術】
【０００２】
白内障は、多くの場合、老眼で発症する。標準的な治療は、混濁した水晶体を抽出し、これを水晶体嚢の中に人工的な眼内レンズを移植することで置き換えることによる白内障手術を施すことであり、これにより健常視力が回復する。しかしながら、手術完了後、眼内レンズ（ＩＯＬ）は、変位する、すなわち眼球の水晶体嚢に外科的に移植された位置から離れる場合がある。この移動は、典型的には網膜上のＩＯＬ焦点を意図された場所から変える可能性があり、その結果、ＩＯＬの光学性能の劣化がもたらされる。さらに、眼球の治癒過程の不確実性、手術前の眼球の測定誤差、及びＩＯＬの選択及び配置の医師過失が、最適でない手術結果の一因にもなる。この光学性能の劣化又は低下は、しばしば手術後に患者が眼鏡を装着する必要があるか否かの違いになるので、手術後の患者満足度の鍵になる要因である。
【０００３】
光調節可能眼内レンズ（ＬＡＬ）はこの問題の解決策を提供する。手術後に患者が医師のもとに戻って、ＬＡＬが間違った位置にある、変位した、又は最良の選択ではなかったことに起因する、視覚的結果に対する不満を報告する場合、医師は、ＬＡＬ光学性能を非侵襲的に調節することで患者の不満を軽減することができる。詳細には、医師は、診断プロセスを実行して、ＬＡＬの光学的性能低下の原因、特性、及び程度を特定することができる。次に、医師は、ＬＡＬの光学的特性のどんな変更が性能低下を補うかを計算することができる。最後に、医師は、計算した変更をもたらすために、ＬＡＬ上で照射手順（ｉｌｌｕｍｉｎａｔｉｏｎ  ｐｒｏｃｅｄｕｒｅ）を実行することができる。
【０００４】
この調節は、光開始剤が散在した光重合可能なマクロマーからＬＡＬを製作することにより可能になる。医師がＬＡＬに空間的に変調された光源を照射すると、典型的にＵＶ光を照射すると、ＵＶを吸収した光開始剤は、マクロマーの光重合を引き起こす。照射ＵＶ光の選択された半径方向強度プロフィールは、対応する半径方向プロフィールでの重合を引き起こす。所定の半径方向プロフィールの光重合は、ＬＡＬの形状を変えるのでＬＡＬの光学特性が変わる。従って、ＬＡＬに所定の強度プロフィールを照射すると、ＬＡＬは、ＬＡＬの移植後の性能低下を補うために医師が計算した最適な光学特性を実現するように変わる。ＬＡＬシステム及び装置は、同一出願人のＪ．  Ｊｅｔｈｍａｌａｎｉらの米国特許第６，４５０，６４２号「Ｌｅｎｓｅｓ  ｃａｐａｂｌｅ  ｏｆ  ｐｏｓｔ−ｆａｂｒｉｃａｔｉｏｎ  ｐｏｗｅｒ  ｍｏｄｉｆｉｃａｔｉｏｎ」に記載されており、その開示内容全体は引用により本明細書に組み込まれている。
【０００５】
図１Ａ−Ｄは、この光調節手順の態様を示す。図１Ａは、ＬＡＬ軸がＬＡＬ照射システムの光軸と位置合わせされた場合を示し、次に、ＵＶ光ビームのビーム強度プロフィールが中心に位置決めされてＬＡＬと位置合わせされる。図１Ｂは、このような位置調整の場合に、ＵＶビームによってＬＡＬに引き起こされた形状変化がＬＡＬ軸に対して位置合わせされて中心に位置決めされることを示す。
【０００６】
図１Ｃは、ＬＡＬがＬＡＬ照射システムに対して位置合わせされておらず、従ってＬＡＬ軸が照射システム軸に正しく位置合わせされていない場合を示す。この場合、ＵＶ光ビームの照射ビーム強度プロフィールは、ＬＡＬ軸に対して中心に位置決めされていない。図１Ｄは、この正しく位置合わせされていないＬＡＬにおいてＵＶ光ビームによって引き起こされた形状変化がＬＡＬ軸と正しく位置合わせされないであろうことを示す。このような正しく位置合わせされていない形状変化を有するＬＡＬの光学特性及び性能は、医師が計算及び計画したものとは全く異なる可能性がある。一般に、正しく位置合わせされていない形状を備えるＬＡＬは、医師が計画した補償を達成しないので患者の不満を軽減しない。この理由から、ＬＡＬ軸をＬＡＬ照射システム軸と位置合わせさせることは、レンズ調節手順の成功に向けて重要であり、ＬＡＬ照射システムの設計にとって優先度が高い。
【０００７】
今日のＬＡＬ照射手順において、眼球及びその中のＬＡＬは、医師がＬＡＬを手動で固定化することでＬＡＬ照射システムに位置合わせされる。これは効率的方法であるが、位置合わせは不完全になることがあり、医師の手の僅かな震えが、ＬＡＬに形成された照射パターンを不鮮明する場合がある。上記の全ての理由で、ＬＡＬ照射システムとＬＡＬ自体との間の良好かつより安定した位置調整に向けたあらゆる改善は、白内障手術の視覚的結果及び患者満足度のさらなる改善をもたらすであろう。
【先行技術文献】
【特許文献】
【０００８】
【特許文献１】米国特許第６，４５０，６４２号明細書
【発明の概要】
【課題を解決するための手段】
【０００９】
実施形態において、光調節可能レンズ照射システムは、ＵＶ光ビームを発生するための照射光源と、ＵＶ光ビームを患者の眼球の中に移植された光調節可能眼内レンズに向けるための光学システムと、光学システムに結合され、光学システムに対して眼球を安定化させて光調節可能眼内レンズ及びＵＶ光ビームの位置調整を実現するための患者インタフェースと、を備える。
【図面の簡単な説明】
【００１０】
【図１Ａ】位置合わせされた光調節プロセスを示す。
【図１Ｂ】位置合わせされた光調節プロセスを示す。
【図１Ｃ】正しく位置合わせされていない光調節プロセスを示す。
【図１Ｄ】正しく位置合わせされていない光調節プロセスを示す。
【図２Ａ】光調節可能レンズ照射システムの実施形態を示す。
【図２Ｂ】光調節可能レンズ照射システムの実施形態を示す。
【図２Ｃ】光調節可能レンズ照射システムの実施形態を示す。
【図３Ａ】光調節可能レンズ照射システムの実施形態を示す。
【図３Ｂ】光調節可能レンズ照射システムの実施形態を示す。
【図３Ｃ】光調節可能レンズ照射システムの実施形態を示す。
【図４】真空吸引力を用いる患者インタフェースを示す。
【図５Ａ】２部品患者インタフェースを示す。
【図５Ｂ】２部品患者インタフェースを示す。
【図６】装着型光調節可能レンズ照射システムの実施形態を示す。
【発明を実施するための形態】
【００１１】
本発明の実施形態は、上記の医療ニーズに対処する。詳細には、各実施形態は、移植された光調節可能レンズ（ＬＡＬ）のＬＡＬ照射システムとの位置調整を改善する。
【００１２】
各実施形態は、患者の眼球を照射システムと機械的に連結して、結果的にビーム強度プロフィールを患者の眼球の中のＬＡＬと位置合わせすることで改善された位置調整を実現する。機械的連結は、実質的にＬＡ照射システム、照射ビーム、及び移植されたＬＡＬの間の相対的な位置調整の精度を向上させる。良好に位置合わせされたビームによる光調節手順は、計画されたＬＡＬ光学特性変更をより正確に引き起こすので、ＬＡＬ性能低下をより効率的に補償する。
【００１３】
図２Ａ−Ｃは、光調節可能レンズ照射システム１００の実施形態を示し、照射システム１００は、ＵＶ光ビームを発生する照射光源１１０と、ＵＶ光ビームを患者の眼球１の中に移植された光調節可能眼内レンズ１０又は単に光調節可能レンズ（ＬＡＬ）１０に向けるための光学システム１２０と、光学システム１２０に結合され、光学システム１２０に対して眼球１を安定化させて光調節可能眼内レンズ１０及びＵＶ光ビームの位置調整を実現するための患者インタフェース１３０と、を含む。
【００１４】
照射光源１１０は、紫外線波長範囲３２０−４００ｎｍのＵＶ光ビームを発生することができる。例えば、３２５ｎｍで作動するヘリウム・カドミウム（ＨｅＣｄ）レーザー、又は輝線３３４及び３６５ｎｍに対してスペクトルフィルタリングされた水銀（Ｈｇ）アークランプは、照射光源１１０として利用することができる。他の実施形態は、３５５ｎｍで作動する周波数三倍化レーザーダイオード励起固体ＹＡＧレーザー、３５０−３６０ｎｍの範囲で作動するアルゴン・イオン・レーザー、放電ランプ、スペクトルフィルターと共に作動する広帯域キセノン：水銀ランプ、又はＵＶ  ＬＥＤ、又はＬＥＤアレイを含むことができる。
【００１５】
光学システム１２０は、特にデジタルミラーデバイス（ＤＭＤ）、液晶ディスプレー（ＬＣＤ）などの空間光変調器（ＳＬＭ）、又は可変ミラーを用いて、ＵＶ光ビームを変調して半径方向強度プロフィールを得ることができる。
【００１６】
一部の実施形態において、光学システム１２０は、患者に対向する最遠位光学素子としての対物レンズ１２１を含むことができる。この実施形態において、患者インタフェース１３０は、光学システム１２０の対物レンズ１２１に結合することができる。
【００１７】
図２Ａは、光調節可能レンズ（ＬＡＬ）照射システム１００の実施形態の側面図を示す。ＬＡＬ照射システム１００の一部の実施形態は、患者係合フレーム１３１を含むことができる。この患者係合フレーム１３１は、光学システム１２０と共有される診断机などの剛体基部上に取り付けることができる。患者は、患者係合フレーム１３１の顎当て上に自身の顔を載せて、ヘッドバンドに自身の額を押し付けることができる。顎当て及びヘッドバンドからの作用力は、患者の頭部を光学システム１２０に対して所定位置に置いて固定化することができる。頭部が固定化されると、患者インタフェース１３０は、前方に移動して係合し、光学システム１２０に対して眼球１を固定化することができる。
【００１８】
図２Ｂは、患者インタフェース１３０と眼球１との間の接触領域を少し詳細に示す。光学システム１２０は、患者係合フレーム１３１によって固定化された後に患者インタフェース１３０と患者の眼球１との間に残った最終的な空隙を埋めるために、患者インタフェース１３０を移動させ得る調節器１２２を含むことができる。医師は、調節器１２２を調節して、患者インタフェース１３０を眼球１の角膜５にドッキングするまで前方に移動させることができる。多くの他の解決策がこのドッキング機能を提供することができ、光学システム１２０全体が基部に対して移動すること、又は患者インタフェース１３０が伸縮式、拡張式部材を有すること、又は患者係合フレーム１３１がそれ自体の調節器１２２を有することができる。
【００１９】
患者インタフェース１３０は、眼球１の角膜５との明確な光学インタフェースを形成するための最遠位コンタクトレンズ１３２を含むことができる。このコンタクトレンズ１３２の硬さは、硬質ガラス又はＰＭＭＡレンズから、視力矯正のために角膜５上に装着される使い捨てコンタクトレンズと類似する柔らかいヒドロゲルベースのコンタクトレンズまで様々とすることができる。
【００２０】
患者インタフェース１３０は、軸方向の機械的圧力及び横方向の摩擦力によって眼球１を効果的に固定化することができる弾性スカート１３３を含むことができる。患者インタフェース１３０の機械的圧力及び摩擦力は、眼球１の意識的な又は無意識の回転を防ぐことができる。
【００２１】
患者の頭部が患者係合フレーム１３１によって固定化され、眼球１が患者インタフェース１３０によってさらに固定化又は安定化されると、光学システム１２０は、高い精度及び位置調整で眼球１の水晶体嚢７内に収容された光調節可能レンズ（ＬＡＬ）１０上にＵＶ光ビームを向けることができる。位置調整は、種々の方法で微調整することができる。患者インタフェース１３０が眼球１、従ってその内部のＬＡＬ１０を固定化すると、医師又は自動位置調整システムは、光学システム１２０の標的システムを横方向に場合によっては軸方向に調節することで、ＵＶ光ビームの標的を調節することができる。他の実施形態において、患者インタフェース１３０は、横方向調節部材を含むことができる。さらに別の実施形態において、患者係合フレーム１３１は、横方向調節部材を有することができる。
【００２２】
図２Ｃは、ＬＡＬ照射システム１００を斜視図で示す。一部の実施形態において、光学システム１２０は、医師が患者インタフェース１３０を眼球１に対して位置合わせしてドッキングするのを助けることができる双眼顕微鏡１２３又は標的光学系１２３を含むことができる。双眼顕微鏡１２３は、様々な標的及び位置調整システムの何らかの組み合わせを有することができる。これは、様々な標的照明光源、眼球固定ライト、並びに、照準線又は標的円などのその光学系内の標的画像を含むことができる。双眼顕微鏡１２３（標的光学系１２３）は、アナログ又はビデオ／デジタルとすることができ、さらに１又は２以上のビデオスクリーン又はディスプレイを含むことができる。また、双眼顕微鏡１２３は、アナログとビデオ／デジタル双眼顕微鏡１２３とを組み合わせたものとすることができる。これは、それ自体の光学経路を有すること、又は少なくとも部分的に光学システム１２０の光学経路を共有することができる。これは例えばビームスプリッターによって実現することができる。
【００２３】
図３Ａ−Ｃは、光調節可能レンズ照射システム１００の関連した実施形態を示す。このＬＡＬ照射システム１００は、図２Ａ−Ｃの実施形態に非常に類似している、患者インタフェース１３０が光学システム１２０ではなく患者係合フレーム１３１に結合又は固定されている点で相違する。一部の実施形態において、患者の頭部が患者係合フレーム１３１によって固定化された後、調節器１２２は、患者の眼球１とドッキングするよう患者インタフェース１３０を進めることができる。この実施形態は、患者係合フレーム１３１に対して患者の頭部を固定化すると共に患者インタフェース１３０に対して眼球１及びその中のＬＡＬ１０を固定化する。患者係合フレーム１３１は剛体基部を光学システム１２０と共有するので、患者係合フレーム１３１に対して光調節可能レンズ１０を固定化して安定化させることは、同様に光学システム１２０に対して光調節可能レンズ１０を安定化させる。従って、この実施形態は、同様に、光学システム１２０から発生したＵＶ光ビームの光調節可能レンズ１０に対する高精度の位置調整を可能にする。
【００２４】
図４は、ＬＡＬ照射システム１００に、真空吸引力を生成する真空ポンプ１４２及び流体接続により真空吸引力を伝達するために真空ポンプ１４２を患者インタフェース１３０に接続するための吸引ホース１４４を含めることで、患者インタフェース１３０と眼球１との間の結合強度及び機械的結合を大きくすることができることを示す。患者インタフェース１３０は、１又は２以上の環状及び同心溝によって真空吸引力を眼球１に加えて眼球１を安定化させるための、患者インタフェース１３０の外周上に環状に配置された弾性スカート１３３を含むことができる。これらの溝は、リングの周りで真空吸引力を均等に分配して環状に分配された力を発生し、眼球１及び患者インタフェース１３０を一緒に効率的に保持して、それによって眼球１を固定化することができる。
【００２５】
他の実施形態において、患者インタフェース１３０は、眼球１上の機械的係合力を強化するための機械的係合部を含むことができる。機械的係合部は、突出部、先鋭端部、締結部材、又は強化摩擦部材を含むことができる。これらの突出部又は端部は、力を角膜５の又はより周辺の強膜の小さな標的領域に集中させる。これらの突出部は、角膜５を可逆的にくぼませることができ、眼球１の安定化及び固定化が向上する。
【００２６】
光調節可能レンズ照射システム１００の一部の実施形態において、患者インタフェース１３０は１部品の患者インタフェース１３０とすることができる。この１部品患者インタフェース１３０は、光学システム１２０及び患者の眼球１の両方に結合することができる。しかしながら、実際には、医師は、時として、ドッキングするために単一ステップで眼球１を１部品患者インタフェース１３０に位置合わせするのが難しいことを感じる。患者は、時として、患者インタフェースが患者の眼球に向かって移動する際に無意識に反応することがある。調節器１２２は制限された範囲でのみ患者インタフェース１３０の位置を調節できるので、医師が移動する眼球に呼応して患者インタフェース１３０を動かすことは難しい場合がある。また、眼球１の表面は滑りやすく、ドッキングを試みる間に絶えず回転する可能性がある。このような反応は、ドッキングの失敗又は偏心、正しく位置合わせされていないドッキングもたらす場合がある。医師は、時として、患者インタフェース１３０を上手くドッキングさせるために複数回の試行を行う必要があり、関与する全てによってフラストレーションの原因になる可能性がある。
【００２７】
図５Ａ−Ｂは、２部品の患者インタフェース１３０の実施形態を示し、これはドッキングの成功率を高めることができる。図示の２部品患者インタフェース１３０は、ドッキングを２つの段階に分ける。この２部品患者インタフェース１３０は、光学システム１２０に結合するように構成された装置ドッキング部１３４と、患者の眼球１に結合するように構成された眼球制御部１３５とを含むことができる。装置ドッキング部１３４及び眼球制御部１３５は連結して、完全な２部品患者インタフェース１３０を形成する。
【００２８】
実際には、医師は、最初に、装置ドッキング部１３４を光学システム１２０の遠位端、例えばその対物レンズ１２１に取り付けることができる。次に、医師は、引き続き独立的に眼球制御部１３５を操作して眼球１に位置合わせさせてドッキングさせる。眼球制御部１３５は光学システム１２０に結合しないので、これらの操作は、調節器１２２が１部品患者インタフェース１３０の位置を調節できることに比べてより広範囲に自由に行うことができる。従って、眼球制御部１３５のドッキング成功率は非常に高くなる。
【００２９】
眼球１へのドッキング後、医師は、ドッキングした眼球制御部１３５を装置ドッキング部１３４に向かってゆっくり動かすことができる。十分なケアを終えると、眼球１とのドッキング結合は維持することができ、それによって眼球１及び内部の光調節可能レンズ１０を光学システム１２０の装置ドッキング部１３４にゆっくり位置合わせすることができる。最後に、眼球制御部１３５が装置ドッキング部１３４に対して良好に位置合わせされると、２つの部品は互いにドッキング又は結合して、完全な患者インタフェース１３０を形成することができる。
【００３０】
一部の実施形態において、眼球制御部１３５は、真空吸引力が強化された図４の実施形態を含むことができる。眼球制御部１３５が眼球１にドッキングすると、眼球制御部１３５及び眼球１を結び付けるドッキング力を高めるために真空吸引力を作用させることができる。殺菌要件が使い捨て装置ドッキング部１３４を選ぶ場合もあるが、一部の実施形態において、装置ドッキング部１３４は、光学システム１２０の恒久的部分とすることができる。
【００３１】
図５Ｂは、一部の他の実施形態において、眼球制御部１３５が、患者インタフェース１３０の眼球制御部１３５と眼球１との間の初期接触が得られた後でオペレータが眼球１との機械的カップリングを締結するための締結機構１３６を含み得ることを示す。締結機構１３６は、様々な選択肢のうちのいずれかとすることができる。例えば、図示のように、指操作ハンドルで作動する鉗子状のはさみを含むことができる。医師は、指操作ハンドルで力を与えることができ、これは締結機構１３６を眼球上に押し付けるか又は締結する。
【００３２】
図６は、光調節可能レンズ照射システム１００の一部の実施形態が非常に小型になり得ることを示す。このコンパクト化の鍵となるコントローラは、この双眼顕微鏡１２３のサイズがＬＡＬ照射システム１００全体の外形寸法及び規模を相当にする重要な要因なので、フルサイズの顕微鏡としての双眼顕微鏡１２３を除外する可能性である。例えば、一実施形態において、双眼顕微鏡１２３の機能が別個のデジタルカメラ及びディスプレイで果たされる場合、このカメラは非常に小型にでき、ＬＡＬ照射システム１００全体を非常に小型化できる。
【００３３】
このような実施形態において、照射光源１１０、光学システム１２０、及び患者インタフェース１３０は、図示の装着型ＬＡＬ照射システム１００に組み合わせることができる。このような装着型ＬＡＬ照射システム１００は、装着型ＬＡＬ照射システム１００を患者の頭部に対して安定させるための患者ヘッドバンド１３７を含むことができる。
【００３４】
本明細書は、多くの具体例、詳細、及び数値範囲を含有するが、これらは、本発明の範囲及び特許請求の範囲の制限としてではなく、むしろ、本発明の特定の実施形態固有の特徴の説明として解釈しなければならない。別々の実施形態の関連で本明細書に説明するある特定の特徴は、単一実施形態において組み合わせて実施することもできる。逆に、単一実施形態の関連で説明する様々な特徴は、別々に又はあらゆる適切な部分組合せで複数の実施形態に実施することもできる。更に、特徴は、特定の組合せで作用し、かつそのようなものとして最初に権利を主張することができるとさえ上述したが、権利主張する組合せに属する１又は２以上の特徴は、場合によっては組合せから除外することができ、権利主張する組合せは、部分組合せ又は部分組合せの変形に向けられる場合がある。
【符号の説明】
【００３５】
１  眼球
５  角膜
７  水晶体嚢
１０  光調節可能眼内レンズ
１００  光調節可能レンズ照射システム
１１０  照射光源
１２０  光学システム
１２１  対物レンズ
１２２  調節器
１３０  患者インタフェース
１３２  コンタクトレンズ
１３３  弾性スカート
【図１Ａ】
2021504008.tif 000003
【図１Ｂ】
2021504008.tif 000004
【図１Ｃ】
2021504008.tif 000005
【図１Ｄ】
2021504008.tif 000006
【図２Ａ】
2021504008.tif 000007
【図２Ｂ】
2021504008.tif 000008
【図２Ｃ】
2021504008.tif 000009
【図３Ａ】
2021504008.tif 000010
【図３Ｂ】
2021504008.tif 000011
【図３Ｃ】
2021504008.tif 000012
【図４】
2021504008.tif 000013
【図５Ａ】
2021504008.tif 000014
【図５Ｂ】
2021504008.tif 000015
【図６】
2021504008.tif 000016
【国際調査報告】
2021504008.tif 000017